(57)【要約】【課題】密閉容器内に収納される電動圧縮要素を弾性支持部材で密閉容器内に弾性支持した密閉型圧縮機であって、余分な部品を使用せず、電動圧縮要素を固定する組立て作業性の良い安価な密閉型圧縮機を提供する。【解決手段】電動圧縮要素１０６と密閉容器１０３との隙間を一定に保つ位置規制部材１３０ａを、電動要素１０４を構成する固定子１１９の鉄心１３０の一部と一体に形成したものである。この構成により、組立ての作業性を損なうことがなく、安価に構成できる密閉型圧縮機を提供することができる。【選択図】図２
2013011214.tif 000002
【特許請求の範囲】
【請求項１】
密閉容器内に収納されるブロックと、前記ブロックの上側に配設される圧縮要素と、前記ブロックの下側に配設され薄板を積層した鉄心と巻線とからなる固定子及びこの固定子の内側に配設される回転子から構成される電動要素を具備した電動圧縮要素を、弾性支持部材で前記密閉容器内に弾性支持した密閉型圧縮機であって、前記電動圧縮要素と前記密閉容器との隙間を一定に保つ位置規制部材を前記鉄心と一体に形成した密閉型圧縮機。
【請求項２】
前記位置規制部材を、前記鉄心の外形より大きく形成した請求項１に記載の密閉型圧縮機。
【請求項３】
前記位置規制部材を、前記鉄心の薄板よりも厚い部材で形成した請求項１または２に記載の密閉型圧縮機。
【請求項４】
前記位置規制部材を、前記鉄心の薄板により形成した請求項３に記載の密閉型圧縮機。
【発明の詳細な説明】
【技術分野】
【０００１】
本発明は、密閉型圧縮機の支持構造に関するものである。
【背景技術】
【０００２】
従来、この種の密閉型圧縮機には、特許文献１に示すようなものがある。
【０００３】
以下、図面を参照しながら上記従来の密閉型圧縮機を説明する。
【０００４】
図３は、特許文献１に記載された従来の密閉型圧縮機の縦断面図、図４は、従来の密閉型圧縮機の電動要素の支持金属板と固定子を立体的に表した分解図である。
【０００５】
図３、図４において、上容器１と、下容器２を嵌合させて全周溶接にて密封した密閉容器３内には、電動要素４とこの電動要素４により駆動される圧縮要素５とからなる電動圧縮要素６が、複数のスプリング７によって弾性的に保持され、下容器２の底部には、冷凍機油８を貯留している。
【０００６】
圧縮要素５は、シリンダ１０と軸受け部１１を形成するブロック１２と、シリンダ１０内に往復自在に嵌入されたピストン１３と、軸受け部１１に軸支された主軸部１４及びその上方に形成された偏心部１５を構成するシャフト１６と、偏心部１５とピストン１３を連結しているスコッチヨーク機構１７とを備えている。
【０００７】
電動要素４は、鉄心３０に巻線１８を施した固定子１９と回転子２０から構成されており、固定子１９は、ブロック１２の下方に一対の支持金属板２１、支持金属板２２を介してそれぞれ２個ずつの固定子固定用ボルト２３で固定され、回転子２０は、シャフト１６の主軸部１４に焼嵌め等で固定されている。支持金属板２１、支持金属板２２には、下容器２との当り部２１ａ、当り部２２ａとボス２４が配設されており、ボス２４に対向する位置においてボス２５を下容器２に配設し、スプリング７をボス２４とボス２５の間に装着している。
【先行技術文献】
【特許文献】
【０００８】
【特許文献１】特開平５−２４８３５５号公報
【発明の概要】
【発明が解決しようとする課題】
【０００９】
しかしながら、上記従来の構成では、下容器２との当り部２１ａ、当り部２２ａを設けた支持金属板２１、支持金属板２２が必要なため、部品点数が多く、組立て作業性が悪くなり、コストがかかるという課題を有していた。
【００１０】
本発明は、上記従来の課題を解決するもので、部品点数が少なく、組立て作業性の良い安価な密閉型圧縮機を提供することを目的とする。
【課題を解決するための手段】
【００１１】
上記従来の課題を解決するために、本発明の密閉型圧縮機は、電動圧縮要素と密閉容器との隙間を一定に保つ位置規制部材を、鉄心と一体に形成したものである。
【００１２】
かかることにより、位置規制のための別部材を必要としないという作用を有する。
【発明の効果】
【００１３】
本発明の密閉型圧縮機は、電動圧縮要素と密閉容器との隙間を一定に保つ位置規制部材を、鉄心と一体に形成ことにより、安価な密閉型圧縮機を提供することができる。
【図面の簡単な説明】
【００１４】
【図１】本発明の実施の形態１における密閉型圧縮機の縦断面図
【図２】本発明の実施の形態１における密閉型圧縮機の位置規制部材と固定子を立体的に表した斜視図
【図３】従来の密閉型圧縮機の縦断面図
【図４】従来の密閉型圧縮機の電動要素の支持金属板と固定子を立体的に表した分解斜視図
【発明を実施するための形態】
【００１５】
請求項１に記載の発明は、密閉容器内に収納されるブロックと、前記ブロックの上側に配設される圧縮要素と、前記ブロックの下側に配設され薄板を積層した鉄心と巻線とからなる固定子及びこの固定子の内側に配設される回転子から構成される電動要素を具備した電動圧縮要素を、弾性支持部材で前記密閉容器内に弾性支持した密閉型圧縮機であって、前記電動圧縮要素と前記密閉容器との隙間を一定に保つ位置規制部材を前記鉄心と一体に形成したものである。
【００１６】
かかる構成とすることにより、部品点数が少なく、組立て作業性の良い安価な密閉型圧縮機を提供することができる。
【００１７】
請求項２に記載の発明は、請求項１に記載の発明において、前記位置規制部材を、前記鉄心の外形より大きく形成したものである。
【００１８】
かかる構成とすることにより、輸送時における電動圧縮要素の動きを規制することを可能にした安価な密閉型圧縮機を提供することができる。
【００１９】
請求項３に記載の発明は、請求項１または２に記載の発明において、前記位置規制部材を、前記鉄心の薄板よりも厚い部材で形成したものである。
【００２０】
かかることにより、高価な電磁鋼板の薄板を使用することなく、安価な位置規制部材を形成することを可能にした、安価な密閉型圧縮機を提供することができる。
【００２１】
請求項４に記載の発明は、請求項３に記載の発明において、前記位置規制部材を、前記鉄心の薄板により形成したものである。
【００２２】
かかることにより、前記位置規制部材を前記鉄心の薄板の材料と共用することができ、さらに安価な密閉型圧縮機を提供することができる。
【００２３】
以下、本発明の実施の形態について、図面を参照しながら説明する。なお、この実施の形態によってこの発明が限定されるものではない。
【００２４】
（実施の形態１）
図１は、本発明の実施の形態１における密閉型圧縮機の縦断面図、図２は、同実施の形態１における密閉型圧縮機の位置規制部材と固定子を立体的に表した斜視図である。
【００２５】
図１と図２において、上容器１０１と、下容器１０２を嵌合させて全周溶接にて密封し
た密閉容器１０３内には、電動要素１０４とこの電動要素１０４により駆動される圧縮要素１０５とから構成される電動圧縮要素１０６が、複数の弾性支持部材１０７によって弾性的に保持されている。また、下容器１０２の底部には冷凍機油１０８を貯留している。さらに、弾性支持部材１０７は、スプリングを使用している。
【００２６】
圧縮要素１０５は、シリンダ１１０と軸受け部１１３を形成するブロック１１１と、シリンダ１１０内に往復自在に嵌入されたピストン１１２と、軸受け部１１３に軸支された主軸部１１５及びその上方に形成された偏心部１１６からなるシャフト１１７と、偏心部１１６とピストン１１２を連結するコンロッド１１８を備えている。
【００２７】
電動要素１０４は、薄板を積層した鉄心１３０に巻線１３５を施した固定子１１９と、回転子１２０から構成されており、固定子１１９は、ブロック１１１の下方において固定子固定用ボルト（図示せず）で固定され、回転子１２０は、シャフト１１７の主軸部１１５に焼嵌め等で固定されている。
【００２８】
鉄心１３０の下部は、外形の最大部（コーナー部）が上部の鉄心１３０よりも大きく形成され、位置規制部材１３０ａを形成している。この位置規制部材１３０ａは、数枚の鉄心１３０（薄板）にて形成しており、位置規制部材１３０ａの下部にボス１２４を設け、下容器１０２においてボス１２４と対向する位置にボス１２５を配設し、弾性支持部材１０７が、ボス１２４とボス１２５の間に装着されている。
【００２９】
以上のように構成された密閉型圧縮機について、以下その動作、作用を説明する。
【００３０】
まず、電動要素１０４に通電されると、回転子１２０が回転し、これに伴ってシャフト１１７が回転する。そして、偏心部１１６の運動がコンロッド１１８を介してピストン１１２に伝わることにより、ピストン１１２がシリンダ１１０内で往復運動を行い、圧縮要素１０５が所定の圧縮動作を行う。
【００３１】
圧縮要素１０５と電動要素１０４からなる電動圧縮要素１０６は、ボス１２４と下容器１０２に設けたボス１２５との間に装着した弾性支持部材１０７で支持されており、圧縮動作による振動を軽減させている。
【００３２】
また、輸送時などには、電動圧縮要素１０６が弾性支持部材１０７で弾性支持されているため、密閉容器１０３内で自由に動くことから、電動圧縮要素１０６の動きを位置規制部材１３０ａと密閉容器１０３の接触によって規制している。
【００３３】
ここで、位置規制部材１３０ａは、鉄心１３０と一体で形成しているため、別部品を必要とすることがなく、組立作業性を損なうことがない。したがって、安価な密閉型圧縮機を提供することができる。
【００３４】
さらに、鉄心１３０を形成する薄板は、一般的に電磁鋼板であるため高価となるが、位置規制部材１３０ａを、鉄心１３０の薄板よりも安価な厚板で形成することでさらに安価な密閉型圧縮機を提供することができる。
【００３５】
以上のように、本実施の形態１においては、電動圧縮要素と密閉容器との隙間を一定に保つ位置規制部材を、固定子１１９を構成する鉄心と一体に形成することにより、余分な部品を削減することができ、組立て作業性の良い、かつ安価な密閉型圧縮機を提供することができる。
【産業上の利用可能性】
【００３６】
以上のように、本発明にかかる密閉型圧縮機は、余分な部品を削減でき、安価な密閉型圧縮機を提供することが可能となるので、自販機、冷凍ショーケース、除湿機などの用途にも適用できる。
【符号の説明】
【００３７】
１０３  密閉容器
１０４  電動要素
１０５  圧縮要素
１０６  電動圧縮要素
１０７  弾性支持部材
１１１  ブロック
１１９  固定子
１２０  回転子
１３０  鉄心
１３０ａ  位置規制部材
１３５  巻線
【図１】
2013011214.tif 000003
【図２】
2013011214.tif 000004
【図３】
2013011214.tif 000005
【図４】
2013011214.tif 000006